(57)【特許請求の範囲】
【請求項１】
内部にアルコール飲料が入れられる容器と、
前記アルコール飲料に関連する成分を有する液状物を霧状に噴霧する噴霧装置と、
その噴霧装置から噴霧される霧状の液状物を通すと共に、前記容器の飲口付近に噴霧する噴霧部とからなり、
前記容器の底部には、前記霧状の液状物を通すための貫通孔が形成されており、
前記噴霧部は前記容器の内部に設けられており、
前記噴霧部により、前記貫通孔から前記容器の飲口付近まで延びる噴霧の通路が形成されている、噴霧装置付き容器。
【請求項２】
内部にアルコール飲料が入れられる容器と、
前記アルコール飲料に関連する成分を有する液状物を霧状に噴霧する噴霧装置と、
その噴霧装置から噴霧される霧状の液状物を通すと共に、前記容器の飲口付近に噴霧する噴霧部とからなり、
前記噴霧部は前記容器の外部に設けられており、
前記噴霧部により、前記容器の飲口付近まで延びる噴霧の通路が形成されている、噴霧装置付き容器。
【請求項３】
前記容器の載置状態／非載置状態を検出する検出部をさらに備えており、
その検出部に基づいて前記容器が非載置状態であることが確認されると、前記噴霧装置が霧状の液状物を噴霧させる、請求項１または２記載の噴霧装置付き容器。
【請求項４】
請求項１、２あるいは３のいずれかに記載の噴霧装置付き容器を用いる飲酒方法であって、
アルコール飲料に関連する成分を有する液状物を容器の飲口付近に霧状に噴霧し、
その噴霧された霧状の液状物を吸引すると共に、前記アルコール飲料を飲酒する、飲酒方法。
【請求項５】
アルコール飲料を入れる容器を着脱自在に取り付けるための取付部と、
その取付部の下方に設けられ、且つ、前記アルコール飲料に関連する成分を有する液状物を霧状に噴霧する噴霧装置と、
その噴霧装置から噴霧される霧状の液状物を通すと共に、前記取付部に取り付けられるであろう前記容器の飲口付近に前記液状物を噴霧する噴霧部とからなり、
前記噴霧部は、前記噴霧装置に設けられ、且つ、前記容器の外側を周壁に沿って上方に前記飲口付近まで延ばされている、取付用の噴霧装置。
【発明の詳細な説明】
【技術分野】
【０００１】
本発明は噴霧装置付き容器、飲酒方法および取付用の噴霧装置に関する。さらに詳しくは液体を霧状にして吸引させるための噴霧装置付き容器、飲酒方法および取付用の噴霧装置に関するものである。
【背景技術】
【０００２】
特許文献１、２、３には、吸入装置などが開示されている。この吸入装置は、薬効成分・香味成分などの液状物を霧状にして放出し、その放出物（吸入物）を口から吸入させるものである。
また特許文献４には、飲料に酒らしい風味を付与する技術が開示されている。
さらに特許文献５には、例えば、吸入装置の一例として禁煙装置が開示されている。この禁煙装置は、エーロゾル化した香料などからなる禁煙剤を含む組成物の送出を漸増させながら、エーロゾル化したニコチン含有物質を含む組成物の送出を漸減させるものである。
【先行技術文献】
【特許文献】
【０００３】
【特許文献１】特開昭５１−７４６２２号公報
【特許文献２】特開２００１−１４９４７３号公報
【特許文献３】特開２００５−５８４２１号公報
【特許文献４】特開２０１７−２１２９３２号公報
【特許文献５】特開２００４−１４８１１７号公報
【発明の概要】
【発明が解決しようとする課題】
【０００４】
主に健康上の理由に起因すると考えられるが、お酒を飲む量を減らしたい、と思う人は少なくない。しかし特定の目的のために飲酒量を減らすと、お酒により得られる満足感に物足りなさを感じる。一方で、満足感を優先すると目的は達成し難くなる。これらは相反する。
【０００５】
そこで、本発明はこれらの相反する事項を満たすことのできる噴霧装置付き容器、飲酒方法および取付用の噴霧装置を提供することを課題とする。
【課題を解決するための手段】
【０００６】
（１）本発明の噴霧装置付き容器は、内部にアルコール飲料が入れられる容器と、前記アルコール飲料に関連する成分を有する液状物を霧状に噴霧する噴霧装置と、その噴霧装置から噴霧される霧状の液状物を通すと共に、前記容器の飲口付近に噴霧する噴霧部とからなり、前記容器の底部には、前記霧状の液状物を通すための貫通孔が形成されており、前記噴霧部は前記容器の内部に設けられており、前記噴霧部により、前記貫通孔から前記容器の飲口付近まで延びる噴霧の通路が形成されている、ことを特徴としている。
【０００７】
（２）本発明の噴霧装置付き容器の他の態様は、内部にアルコール飲料が入れられる容器と、前記アルコール飲料に関連する成分を有する液状物を霧状に噴霧する噴霧装置と、その噴霧装置から噴霧される霧状の液状物を通すと共に、前記容器の飲口付近に噴霧する噴霧部とからなり、前記噴霧部は前記容器の外部に設けられており、前記噴霧部により、前記容器の飲口付近まで延びる噴霧の通路が形成されている、ことを特徴としている。
【０００８】
（３）このような噴霧装置付き容器は、前記容器の載置状態／非載置状態を検出する検出部をさらに備えており、その検出部に基づいて前記容器が非載置状態であることが確認されると、前記噴霧装置が霧状の液状物を噴霧させるのが好ましい。
【０００９】
（４）本発明の飲酒方法は、上述の噴霧装置付き容器を用いる飲酒方法であって、アルコール飲料に関連する成分を有する液状物を容器の飲口付近に霧状に噴霧し、その噴霧された霧状の液状物を吸引すると共に、前記アルコール飲料を飲酒する、ことを特徴とする。
【００１０】
（５）本発明の取付用の噴霧装置は、アルコール飲料を入れる容器を着脱自在に取り付けるための取付部と、その取付部の下方に設けられ、且つ、前記アルコール飲料に関連する成分を有する液状物を霧状に噴霧する噴霧装置と、その噴霧装置から噴霧される霧状の液状物を通すと共に、前記取付部に取り付けられるであろう前記容器の飲口付近に前記液状物を噴霧する噴霧部とからなり、前記噴霧部は、前記噴霧装置に設けられ、且つ、前記容器の外側を周壁に沿って上方に前記飲口付近まで延ばされている、ことを特徴とする。
【発明の効果】
【００１１】
本発明の噴霧装置付き容器、飲酒方法および取付用の噴霧装置は、アルコール飲料を飲みながら、前記アルコール飲料に関連する成分を有する液状物を吸引によって摂取することができる。
【図面の簡単な説明】
【００１２】
【図１】図１は本発明の噴霧装置付き容器の一実施形態を示す一部切り欠き概略分解図である。
【図２】図２は飲酒量を減らしたい飲酒者が霧装置付き容器を用いて飲酒している様子を示す概略図である。
【図３】図３は検出部の作用する様子を示す概略図である。
【図４】図４は本発明の飲酒方法を示す概略工程図である。
【図５】図５ａは取付用の噴霧装置の一実施形態を示す概略側面図、図５ｂは図５ａの上面図である。
【図６】図６は液室の変形例を示す概略図である。
【発明を実施するための形態】
【００１３】
［１．概略］
＜第１実施形態＞
図１を用いて、噴霧装置付き容器の概略を説明する。
図１に示す噴霧装置付き容器１は、アルコール飲料４が入れられる容器２と、アルコール飲料４に関連する成分を有する液状物５を霧状に噴霧する噴霧装置３とを主に備えている。さらに噴霧装置付き容器１は、容器２に設けられ、且つ、噴霧装置３に連通する噴霧部６を備えている。その噴霧部６は容器２の飲口付近２ｃに霧状にした液状物５を噴霧する。
【００１４】
次いで、図２を用いて、噴霧装置付き容器１がどのように作用するのかを説明する。図２は、飲酒量を減らしたい飲酒者Ｐが噴霧装置付き容器１を用いて飲酒している様子を示している。図２に示すように、飲酒者Ｐは鼻・口の周辺を霧状の液状物５内に突っ込んだ状態で飲酒する。飲酒者Ｐの鼻・口の周辺はアルコール飲料４に関連する成分で満たされており、その成分は飲酒者Ｐの体内に吸入される。これにより、単に飲酒するよりも、アルコール飲料４を摂取した満足感が増加する。満足感が増加するため、飲酒者Ｐの飲酒を途中で終える決断が後押される。さらに途中で飲酒を終えたにもかかわらず、飲酒による満足感を著しく損なうことがない。
【００１５】
［２．各構成］
（容器２、噴霧部６）
図１に戻って、本実施形態の容器２は全体として有底筒状であり、主に底部２ａと、その底部２ａの周縁から延びている周壁２ｂとからなる。本実施形態では底部２ａは円板状で、周壁２ｂは円筒状である。底部２ａの中心付近には貫通孔２ｄが形成されている。
噴霧部６は容器２の内部に設けられている。噴霧部６は、筒状部材であり、底部２側を拡径した略円錐形である。噴霧部６は、周壁２ｂの下端付近から容器２の開口付近まで延びている。その噴霧部６は底部２ａの貫通孔２ｄを介して噴霧装置３と通じている。噴霧部６には噴霧装置３からの霧状の液状物５が流される。
また噴霧部６の先端の噴口６ａ付近には、傘部６ｂが設けられている。その傘部６ｂは、噴霧される霧状の液状物５を上方に逃さず、飲口付近２ｃに導くものである。その傘部６ｂの中心には開口６ｃが形成されている。その開口６ｃから流れ出る霧状の液状物５は、飲酒者Ｐの鼻にほぼ直接に到達する（図２の流れ５ａ参照）。
なお、開口６ｃの開口径を可変にしてもよい。その開口径の大きさに応じて、液状物５を鼻から吸引する程度を変更できる。
なお、容器２、噴霧部６の材質としては、金属や合成樹脂などの従来公知のものを用いることができる。
【００１６】
（噴霧装置３）
噴霧装置３は、底部２ａの外底面に設けられている。本実施形態では、底部２ａとほぼ同径の有底筒状の部材である。
本実施形態の噴霧装置３は、主に、電源部３ａと、その電源部３ａの上方に設けられ、且つ、液状物５を霧状にする霧発生部３ｂとからなる。
その霧発生部３ｂの内部には、液状物５を貯留する液室３ｃと、霧状にされた液状物５を空気流に乗せて噴霧させるファン３ｄが設けられている。液状物５を霧状にする機構として、本実施形態では、振動子（符号３ｅ参照）の振動などによって液体を微細な孔から押し出して霧状にする機構を利用している。
また本実施形態の噴霧装置３には、テーブルＴ（図３参照）などへの載置状態を検知する検出部７（図３参照）が設けられている。
【００１７】
（霧発生部３ｂ）
霧発生部３ｂが発生させる霧状の液状物５の粒径は、飲酒者Ｐが液状物５の成分を感じる部位に届く程度の粒径にするのが好ましい。例えば、鼻の内部あるいは喉の奥などに、吸引により運ばれる程度の粒径にするのが好ましい。
霧発生部３ｂの機構としては、従来公知の機構を用いることができる。一例を挙げるなら、圧縮空気で液体を霧状にする機構、超音波振動子の振動を利用して液体を霧状にする機構、振動などによって液体をメッシュの穴から押し出して霧状にする機構などである。
霧状の液状物５を発生させる速度としては、飲酒の邪魔にならないような、霧状の液状物５が自然に吸引できるような発生速度であるのが好ましい。液状物５がアルコール成分を含む場合、アルコール摂取量がトータルで減少するように調整するのがよい。例えば、飲酒時間が１時間であるならば、その時間の間、霧状の液状物５が途切れないようにし、且つ、全体的なアルコール摂取量が減少するように、液状物５の吸引量・アルコール度数を調整する。
【００１８】
（アルコール飲料４）
アルコール飲料４は、アルコールの摂取量を減らしたいと考えている者Ｐが対象とする飲料であればよい。減らしたい理由は特に問わない。アルコール飲料４について一例を挙げれば、日本酒、ビール、ワイン、ブランデー、ウイスキー、発泡酒、リキュール類などである。例えば、アルコール分１度以上の飲料としての酒類に加え、含有アルコール量が１％未満（アルコール成分を含有しないものを含む。）のノンアルコール飲料を含む。
またアルコール飲料４は、飲酒者Ｐが調整したものでもよい。例えば、飲酒者Ｐがお酒を、水やノンアルコール飲料で薄めたものが含まれる。どの程度に薄めるのかは、飲酒者Ｐの飲酒に求める満足感の程度や、想定している減酒の速度により調整する。
本実施形態では、アルコール飲料４として、特定の銘柄の日本酒を用いている。
【００１９】
（液状物５）
液状物５は、アルコール飲料４に関連する成分を有している。この成分とは、例えば、アルコール成分自体、及びアルコール成分４の特徴を表現するような匂い・味の成分、すなわち、摂取時にアルコールを摂取した感覚を覚える香り又は味を有する成分などである。なお、液状物５は、アルコール成分、匂い成分、味成分から選択される少なくとも１つを含んでいる。
【００２０】
例えば、前記成分を有する液状物５として、アルコール飲料４と同種の酒を採用してもよい。すなわち、アルコール飲料４に酒種としての日本酒を選択したのなら、液状物５としてワインなどを採用せずに、日本酒(例えば異なる銘柄)を採用するなどである。
同種の酒として選択される液状物５としては、容器２に入れたアルコール飲料４よりもアルコール度数が高いものが好ましい。なお、必ずしも同種の酒でなくてもよい。
【００２１】
また、容器２に入れたアルコール飲料４よりも香りが良いもの、よく香るもの、香りが独特なものなどであってもよい。さらに、味が良いもの、味が濃いもの、味が独特なものなどであってもよい。このような香りおよび／または味のする酒は、通常、容器２に入れたアルコール飲料４よりも市場価値が高い傾向にある。このような香りおよび／または味の成分を、飲酒者Ｐが吸引すると、高質な香りおよび／または味に基づく、満足感が得られると考えられる。
【００２２】
さらに、液状物５として、アルコール飲料４と同じ飲料を採用してもよい。液状物５が、飲酒しているアルコール飲料４と同じ飲料であるなら、匂いおよび味の成分も同じである。飲酒しながら、同じ匂い・味を持つ成分が、吸引により鼻の内部や喉に沈着する。例えば、喉に沈着した匂い成分は、鼻に抜ける際に匂ってくる。このため、アルコール飲料４を多く飲酒したような錯覚を飲酒者Ｐに与えると考えられる。
なお、飲酒しているのと同じ成分を吸引するので、吸引に基づく違和感はほとんどない。
【００２３】
なお、従来公知の酒系の香料、アルコール性飲料用フレーバなどを用いてもよい。
【００２４】
（検出部７）
次に図３を用いて検出部７を説明する。図３は検出部７の作用する様子を示す概略図である。図３に示すように、本実施形態では、検出部７は、噴霧装置３の下面に設けられている。検出部７は外向きに突出するように付勢されている。噴霧装置付き容器１がテーブルＴなどに載置されていると、検出部７は内部に押し込まれる。これにより検出部７は載置状態を検出する。検出部７に基づいて噴霧装置付き容器１が載置状態Ｒ１であることが確認されると、噴霧装置３は作動しない。
一方、突出していると、検出部７は、載置されていない状態（非載置状態Ｒ２）を検出する（手に持った状態である）。すなわち検出部７に基づいて噴霧装置付き容器１が非載置状態であることが確認されると、噴霧装置３が霧状の液状物５を噴霧する。
なお、一方の状態が確認できないことにより、他方の状態であることを確認してもよい。
【００２５】
［３．飲酒方法］
（飲酒方法８）
次に、図３に加えさらに図４を用いて、本発明の飲酒方法について説明する。図４は飲酒方法を示す概略工程図である。図に示している飲酒方法８は、アルコール飲料４に関連する成分を有する液状物５を容器２の飲口付近２ｃに霧状に噴霧し(工程Ｓ２)、その噴霧された液状物５を吸引すると共に、アルコール飲料４を飲酒する(工程Ｓ３)というものである。
本実施形態では、噴霧装置付き容器１を用いている。このため噴霧装置付き容器１を準備する工程（準備工程Ｓ１）を有している。なお、噴霧装置付き容器１以外の装置で飲酒方法８を実施してもよい。
【００２６】
（準備工程Ｓ１）
図４に示している準備工程Ｓ１では、噴霧装置付き容器１を準備する。具体的には、アルコール飲料４を容器に入れる。そして、そのアルコール飲料４に関連する液状物５を噴霧装置３の液室３ｃに入れる。
本実施形態では、例えばアルコール飲料４として特定の銘柄の日本酒を用いている。そして、アルコール飲料４に関連する成分を有する液状物５として、アルコール飲料４よりも、アルコールの度数が高い酒を用いている。
【００２７】
（工程Ｓ２）
アルコール飲料４に関連する成分を有する液状物５を霧状に噴霧する。噴霧装置付き容器１を手に取ると、検出部７が非載置状態Ｒ２を検出し、噴霧装置３が作動し、霧状の液状物５が飲口付近２ｃに噴霧される。
飲口付近２ｃは、容器２の内部のアルコール飲料４の液面から上の空間を含む。例えば、その空間とは、容器２を口に近づけた際に、飲酒者Ｐの鼻・口が収まる程度である。
【００２８】
（工程Ｓ３）
次いで、飲口付近２ｃに顔（図２の符号Ｐ参照）を近づけて、霧状の液状物５を鼻・喉から吸引すると共に、アルコール飲料４を飲酒する。アルコール飲料４よりもアルコール度数の高い液状物５を鼻・喉から摂取するので、飲酒者Ｐはアルコール飲料４を多く飲酒したように錯覚する。
最後に、噴霧装置付き容器１をテーブルＴに載置すると、検出部７が載置状態Ｒ１を検出し、噴霧装置３を停止させる。
【００２９】
このため、普段よりも少ない飲酒量で、満足感を持って、飲酒をやめることができる。
【００３０】
なお、液状物５として、香りが濃厚な、市場価値の高い日本酒を用いてもよい。その場合、高質な香りおよび／または味を摂取したことに起因して、高い満足感が得られる。すなわち、液状物５の高質な香りおよび／または味を鼻・喉から摂取するので、飲酒者Ｐはアルコール飲料４を多く飲酒したように錯覚する。さらに、高質な香りおよび／または味を摂取したことに起因して、高い満足感が得られる。
【００３１】
（分解洗浄）
アルコール飲料４および液状物５が収納される空間および霧状の液状物５が流れる通路は、容易に洗浄できるように、分解可能な構造にされているのがよい。例えば、噴射部６は周壁２から脱着自在であるのがよい。霧発生部３ｂにおいては、液室３ｃを洗浄できるように、液室３ｃの底壁などの壁の一部を取り外すことができるのがよい。
【００３２】
［４．取付用の噴霧装置］
（取付用の噴霧装置９）
次に図５ａおよび図５ｂを用いて本発明の取付用の噴霧装置について説明する。図５ａは取付用の噴霧装置の一実施形態を示す概略側面図、図５ｂは図５ａの上面図である。図５ａおよび図５ｂに示している取付用の噴霧装置９は、前述した第１実施形態と共通する部分が多いので、異なる部分のみ説明し、同じ部分の説明は省略する。
取付用の噴霧装置９は、アルコール飲料４を入れるための容器に着脱自在に取り付ける取付部１０と、アルコール飲料４に関連する成分を有する液状物５を容器２の飲口周辺２ｃに霧状に噴霧する噴霧装置３と、その噴霧装置３に設けられた噴霧部６とを備えている。
その噴霧部６は容器２の周壁２ｂに沿って上方に延びるようにされている。
取付部１０は、容器の底部２ａおよびその近傍の周壁２ｂを覆うような有底筒状である。容器２を取付部１０に挿入して、容器２と噴霧装置３とが一体にされる。既存の容器２を取付部１０から取り外し、異なる容器２を取り付けることができる。
なお、二点鎖線の矢印は、霧状の液状物５の流れを示している。
【００３３】
［５．他の実施形態］
（変形例）
次に図６を用いて、噴霧装置３の液室３ｃの変形例を説明する。図６に示している液室３ｃは、前述した実施形態と共通する部分が多いので、異なる部分のみ説明し、同じ部分の説明は省略する。
図に示す液室３ｃは、液状物５を溜めている部屋が、振動子３ｅに対し鉛直方向の上方に配置されている。このため、飲酒者Ｐが飲酒のために容器２を傾けても（図６の下方の図を参照）、液状物５と振動子３ｅと接触が維持され、霧状の液状物５の発生が途切れにくい。
なお、容器２、ファン３ｄなどは液室３ｃの上方に設けられているが、それらの図示は省略している。
【００３４】
（その他）
（１）容器２は、筒状であればよい。例えば断面形状が多角形状でもよい。
（２）噴霧装置３と容器２を別体にし、それらをチューブで連結し、容器２側の噴霧部６から霧状の液状物５を噴出するようにしてもよい。
（３）液状物５は、アルコール飲料４との関係で様々な組み合わせが考えられる。アルコール飲料４がワインであるなら、原産地・時期が似ているワインを採用してもよい。また、異なる酒種を採用してもよい。
（４）噴霧部６は、容器２の中心軸から外れて設けられてもよい。例えば、氷を入れることができる程度に中心から外して設けてもよい。
また、容器２の周壁２ｂの外側に設けてもよい。容器２に持ち手があれば、その内部を霧状の液状物５を通す噴霧部としてもよい。噴霧部６をフレキシブルチューブなど湾曲させることができる材質で成形してもよい。噴口６ａの向きを可変にする機構を設けてもよい。一方で、口・鼻に近近すぎたり、直接に霧状の液状物５を吸引したりすると、飲酒を妨げるかもしれない。このため、飲酒の中で、自然に霧状の液状物５が吸引できるようにするのが好ましい。
さらに、容器２の周壁２ｂを二重構造にして、その隙間を霧状の液状物５を通す噴霧部としてもよい。
（５）検出部７は、容器２の持ち手付近にスイッチを設けて、それを飲酒者ＰがＯＮ−ＯＦＦして噴霧装置３を作動させるようにしてもよい。
また傾きを感知する検出部７を設けて、飲酒のため容器２を傾けると噴霧装置３が作動するようにしてもよい。
また接触式のセンサの他に、近接センサなど非接触のセンサを検出部７として用いてもよい。例えば、テーブルＴへの近接を検知したら噴霧装置３の作動をやめるなどである。
（６）前述の実施形態に、これらの他の実施形態を、それぞれを適宜に組み合わせて用いることができる。
【００３５】
［６．まとめ］
（１）噴霧装置付き容器１は、アルコール飲料４が入れられる容器２と、アルコール飲料４に関連する成分を有する液状物５を霧状に噴霧する噴霧装置３と、その噴霧装置３から噴霧される霧状の液状物５を通すと共に、容器２の飲口付近２ｃに噴霧する噴霧部６とからなる。
霧状の液状物５の成分として、アルコール、匂いおよび／または味の成分を含む成分が鼻の内部や喉に沈着するから、アルコール飲料４を多く飲酒したような気分や、飲酒によるアルコール、匂いおよび／または味の成分を味わったような気分になる。このため、飲酒を途中でやめても、満足感を著しく損なうことがない。そして、飲酒の満足感を著しく損なうことなく、飲酒量を減らすことができる。
（２）このような、噴霧装置付き容器１は、容器２の載置状態／非載置状態を検出する検出部７が設けられており、その検出部７に基づいて容器２が非載置状態であることが確認されると、噴霧装置３が霧状の液状物５を噴霧させるので、余分な噴霧を防止することができる。
（３）また、噴霧装置付き容器１は、噴霧装置３が容器２の底部２ａの外底面に設けられており、噴霧部７が、底部２ａを貫通して噴霧装置３と連通し、且つ、容器２内で開口付近まで延びているから、装置全体がコンパクトである。また、底部２ａの外底面に重量物の噴霧装置３を配設するので、液体を注ぐ容器として、テーブルＴに載置した際のバランスがよく、倒れにくい。
（４）飲酒方法８は、アルコール飲料４に関連する成分を有する液状物５を容器２の飲口付近２ｃに霧状に噴霧し、その噴霧された霧状の液状物５を吸引すると共に、アルコール飲料４を飲酒する。アルコール、匂いおよび／または味の成分を含む成分が鼻の内部や喉に沈着するから、アルコール飲料４を多く飲酒したような気分や、飲酒によるアルコール、匂いおよび／または味の成分を味わったような気分になるから、飲酒を途中でやめても、満足感を著しく損なうことがない。このため、飲酒の満足感を著しく損なうことなく、飲酒量を減らすことができる。
（５）取付用の噴霧装置９は、アルコール飲料４を入れるための容器２に着脱自在に取り付ける取付部１０と、アルコール飲料４に関連する成分を有する液状物５を霧状に噴霧する噴霧装置３と、その噴霧装置３から噴霧される霧状の液状物５を通すと共に、前記容器２の飲口周辺２ｃに噴霧する噴霧部６とを備えている。このため、容器２を取り換えることができる。
【符号の説明】
【００３６】
１  噴霧装置付き容器
１ａ  飲口付近
２  容器
２ａ  底部
２ｂ  周壁
２ｃ  飲口周辺
２ｄ  貫通孔
３  噴霧装置
３ａ  電源部
３ｂ  霧発生部
３ｃ  液室
３ｄ  ファン
３ｅ  超音波振動子
４  アルコール飲料
５  液状物（霧状の液状物）
５ａ  流れ
６  噴霧部
６ａ  噴口
６ｂ  傘部
６ｃ  開口
７  検出部
８  飲酒方法
９  取付用の噴霧装置
１０  取付部
Ｐ  飲酒者
Ｔ  テーブル
【要約】
【課題】本発明は飲酒による満足感を得た上で、飲酒による満足感を著しく損なうことがない噴霧装置付き容器、飲酒方法および取付用の噴霧装置を提供する。
【解決手段】アルコール飲料４が入れられる容器２と、アルコール飲料４に関連する成分を有する液状物５を霧状に噴霧する噴霧装置３とからなり、その噴霧装置３に連通する噴霧部８が設けられており、その噴霧部８から容器２飲口付近２ａに液状物５が噴霧される、噴霧装置付き容器１。
【選択図】図１【図１】
0006730719.tif 000002
【図２】
0006730719.tif 000003
【図３】
0006730719.tif 000004
【図４】
0006730719.tif 000005
【図５】
0006730719.tif 000006
【図６】
0006730719.tif 000007